(57)【要約】【課題】携帯端末などのキャリア及びそのキャリアを運用したパッケージケース。【解決手段】  平坦な背面及び背面を囲う側面を有する携帯式電子装置４１０を収容するキャリア１００であって、背面板１１４、該面を囲うフレーム１２０及び支持部材１３０から構成され、背面板は、該携帯式電子装置背面に対応する第１内表面及び反対側の第１内表面に相対する１つの第１外表面を有し、フレームは、背面板を囲って携帯式電子装置側面に対応し、第１内表面を囲う第２内表面及び第１外表面を囲う第２外表面を有する。支持部材は、第１外表面及び/又は第２外表面に枢着され、背面板へ向けて軸回転して第１外表面に接しててレーム内に収納され、且つ背面板から離れるように回転してフレーム外に突出して起立状態で支持する。【選択図】図１
2014236508.tif 000002
【特許請求の範囲】
【請求項１】
携帯式電子装置に適用されるキャリアであって、該携帯式電子装置は、平坦な背面及び該背面を囲う側面から形造られ、且つ該キャリアは、
該背面に対応する第１内表面及び該第１内表面に相対する側の第１外表面を有する背面板と、
該背面板を囲い、上記携帯式電子装置の側面に相対応して該第１内表面を囲う第２内表面及び上記第１外表面を囲う第２外表面を有するフレームと、
該背面板の第１外表面又は該フレームの第２外表面のうち少なくとも１方に枢着され、
該背面板側に向けて軸回転して該第１外表面上に接して該フレーム内に収納され、且つ該背面板から離れる方向に軸回転して該フレーム外方に突出して該携帯式電子装置を起立して支持する少なくとも１つの支持部材と、
から構成されるキャリア。
【請求項２】
前記背面板の第１外表面及び前記フレームの第２外表面の間に接続する少なくとも１つの強化リブを更に具える請求項１に記載のキャリア。
【請求項３】
前記背面板の第１外表面上に突設された少なくとも１つの凸リブを更に具え、該携帯式電子装置のアクセサリを該凸リブにより該フレーム内に支持、収納することに適用される請求項１に記載のキャリア。
【請求項４】
前記背面板は、更に、その第１内表面側から該第１外表面側に開通して前記携帯式電子装置の背面の一部分を露出する少なくとも１つの露出孔を有する請求項１に記載のキャリア。
【請求項５】
前記背面板は、更に、その第１内表面側から該第１外表面側に開通して前記携帯式電子装置のスピーカを露出する少なくとも１つの露出孔を有する請求項１に記載のキャリア。
【請求項６】
前記背面板及び前記フレームは、射出成型法で製造されて一体に成型されてなる請求項１に記載のキャリア。
【請求項７】
前記背面板及び該フレームは、ゴム材質又はアクリロニトリルブタジエンスチレン共重合体材質で製造される請求項１に記載のキャリア。
【請求項８】
前記背面板及び該フレームの少なくとも１方は、更に、第１枢着部を有し、
前記支持部材は、第２枢着部と支持部とを有し、該第２枢着部は該第１枢着部と枢着部材によって相互に枢着・接続され、  且つ、該支持部は、該第２枢着部から外方へ延伸する脚を具える、請求項１に記載のキャリア。
【請求項９】
前記第１枢着部及び前記第２枢着部は、それぞれ枢着孔を有し、該枢着部材は、該枢着孔に貫通設置可能な回転軸である請求項８に記載のキャリア。
【請求項１０】
前記第２枢着部は、前記背面板の第１枢着部及び前記フレームの第２外表面の間に取り付けられる請求項８に記載のキャリア。
【請求項１１】
前記第１枢着部は、更に、少なくとも１つの第１ストッパー部を有し、且つ該第２枢着部は、更に、該第１ストッパー部と嵌合して該脚の該第１枢着部に相対する回転を制限する第２ストッパー部を有する請求項８に記載のキャリア。
【請求項１２】
前記第１ストッパー部及び該第２ストッパー部のうちの１つは、ストッパー溝であり、該第１ストッパー部及び該第２ストッパー部のうちのもう１つは、該ストッパー部溝に嵌合可能なストッパー凸リブである請求項１１に記載のキャリア。
【請求項１３】
前記第１ストッパー部の数は、２つであり、二者のうち１つは、該第１枢着部の該第１内表面から離れる末端に設置され、且つ二者のもう１つは、該第１内表面及び該末端の間の側面に設置される請求項１１に記載のキャリア。
【請求項１４】
前記第１枢着部は、少なくとも１つの接続板を介して該背面板又は該フレームの少なくとも１方に接続される請求項８に記載のキャリア。
【請求項１５】
前記支持部は、
前記携帯式電子装置を起立して支持する端部と、延伸方向に沿って延伸し、且つ前記第２枢着部及び該端部の間を接続する柄部と、
を有する請求項８に記載のキャリア。
【請求項１６】
前記端部は、ゴム材質で製作され、且つ前記柄部は、アクリロニトリルブタジエンスチレン共重合体材質で製作される請求項１５に記載のキャリア。
【請求項１７】
前記端部は、第１支持面及び第２支持面を有し、該第１支持面は、該フレームの該支持部材に近隣する第１側縁と面一であり、該第２支持面は、該支持部材から離れる第２側縁と面一である請求項１５に記載のキャリア。
【請求項１８】
前記端部及び前記柄部は、該延伸方向上に垂直な横断面の形状が何れもＵ型である請求項１５に記載のキャリア。
【請求項１９】
前記柄部は、伸縮可能である請求項１５に記載のキャリア。
【請求項２０】
前記第１枢着部は、更に、係止部を有して脚の回転角度を制限する請求項８に記載のキャリア。
【請求項２１】
ケース、該ケースを覆って収容空間を形成する蓋体及び請求項１の記載のキャリアを具え、前記キャリア及び携帯式電子装置を該収容空間内に収容した、
パッケージケース。
【発明の詳細な説明】
【技術分野】
【０００１】
本発明は、携帯式電子装置（portable electronic device）に適用するキャリア（carrier）に関し、特に、そのキャリアを運用したパッケージケース（packing case）に関する。
【背景技術】
【０００２】
科学技術の発展に伴い、様々な携帯式電子装置、例えば、ＭＰ３及びＭＰ４等のマルチメディアプレイヤー（multimedia player）、携帯電話（cell phone）、ＰＤＡ（personal digital assistant, PDA）、ハンドヘルドゲームコンソール（hand-held game console）、電子書籍（electronic
book, E-book）、タブレットＰＣ（tablet personal computer, tablet
PC）、ネットブック（netbook）及びノート型パソコン（notebook）等は、既に多くの現代人の生活に不可欠な科学技術製品となっている。従来のデスクトップ型パソコン（desktop PC）に比較し、携帯式電子装置の主な利点は、携帯に便利であることにあるので、最近は、随時随処で使用している情景が見られる。
【０００３】
一般的に、携帯式電子装置は、何れもイヤホン（earphone）、伝送線（transmission line）等のアクセサリ（Accessory）が紙質又はプラスチック材質で製造されたパッケージケース中にパッケージされて併せて販売されている。このように、美観が良好であるだけでなく、運送及び保存に便利になっている。現在の市場において、よく見られるパッケージケースは、通常、何れも紙質又はプラスチック材質で製作されたキャリアにより携帯式電子装置を持ち運び、その後、キャリアの下方に紙板（cardboard）、プラスチック板（plastic plate）、発泡材料（foam material）又はバブルラップ（bubble wrap）等の様々なパーティション（partition）で複数の収容空間（containing space）を仕切り、それぞれ異なるアクセサリを収納させる。従って、従来のパッケージケースは、全体の厚さが厚くなるだけでなく、そのキャリア及びパーティションもそれぞれの収納備品に応じた収容空間を仕切る機能のみを有するためその後利用することができない。
【先行技術文献】
【特許文献】
【０００４】
【特許文献１】特許４２６９１８５号
【特許文献２】特開２００６−２７０２２１号公報
【発明の概要】
【発明が解決しようとする課題】
【０００５】
上記問題を解決する為、本発明は、携帯式電子装置を起立した状態に支持するキャリアを提供する。
【０００６】
上記問題を解決する為、本発明は、更に、そのキャリアが重複使用できるだけでなく、パッケージケースの全体の厚さを低減させることもできるパッケージケースを提供する。
【課題を解決するための手段】
【０００７】
本発明が提供するキャリアは、平坦な背面（rear surface）及び背面を囲う側面（side surface）で形造られる携帯式電子装置に適用するもので、背面板（rear plate）、フレーム（frame）及び支持部材（supporting component）を具える。
背面板は、携帯式電子装置の背面に相対応する第１内表面（inner surface）及び第１内表面に相対する側の第１外表面（outer surface）を有し、フレームは、背面板を囲って側面を形成し、且つ第１内表面側を囲う第２内表面及び第１外表面側を囲う第２外表面を有する。このほか、支持部材は、これら第１外表面及び第２外表面のうちの少なくとも１方に枢着して設けられる。ここで、支持部材は、背面板側に向けて軸回転して第１外表面に接してフレーム内に収納され、また、背面板から離れるように回転してフレーム外方に突出することにより携帯式電子装置を起立して支持する。
【０００８】
本発明の１実施例において、上記のキャリアは、更に、背面板の第１外表面及びフレームの第２外表面の間に接続する少なくとも１つの強化リブ（reinforced rib）を具える。
【０００９】
本発明の１実施例において、上記のキャリアは、更に、第１外表面上に突設する少なくとも１つの凸リブ（rib）を有し、携帯式電子装置のアクセサリは、凸リブによりフレーム内に支持、収納される。
【００１０】
本発明の１実施例において、上記の背面板は、更に、第１内表面側から第１外表面側に開通して背面の一部分を露出する露出孔（explosion
opening）を有する。
【００１１】
本発明の１つの実施例において、上記の背面板は、更に、第１内表面側から第１外表面側に開通して、携帯電子装置のスピーカ（speaker）を露出する露出孔を有する。
【００１２】
本発明の１つの実施例において、上記の背面板及びフレームは、射出成型法（injection molding）により一体に成型される。
【００１３】
本発明の１つの実施例において、上記の背面板及びフレームは、ゴム材質又はアクリロニトリルブタジエンスチレン共重合体（Acrylonitrile Butadiene Styrene, ABS，俗称ABS樹脂）材質で製造される。
【００１４】
本発明の１実施例において、上記の背面板及びフレームのうちの少なくとも１つは、更に、枢着部（pivoting portion）を有し、支持部材は、枢着部材（pivot member）及び脚（foot）を有する。
脚は、支持部材側の第２枢着部及び支持部（supporting portion）を有し、且つ背面板側の第１枢着部及び該第２枢着部は、枢着部材により相互に接続し、支持部は、該第２枢着部から外方へ延伸する。
特定の実施例において、上記第１枢着部及び第２枢着部は、それぞれ枢着孔（pivoting
aperture）を有し、枢着部材は、これら枢着孔に貫通設置する枢着軸（pivot shaft）であって、該枢着軸は、枢着孔と緊密に嵌合（close fit）し、且つもう１つの枢着孔と緩やかに嵌合（loose fit）して回転可能にする。
また、特定の実施例において、支持部材側の第２枢着部は、背面板側の第１枢着部及びフレームの第２外表面の間に組み付けられる。また、ある実施例において、第１枢着部は、少なくとも１つのストッパー部（position limiting portion）を有し、且つ第２枢着部は、更に、該第１ストッパー部と嵌合して脚の第１枢着部に相対する軸回転の角度を制限する第２ストッパー部を有する。また、ある好適実施例において、第１ストッパー部及び第２ストッパー部のうちの一方は、１つのストッパー溝（notch）であり、且つ第１ストッパー部及び第２ストッパー部の他方は、ストッパー溝に嵌合可能な１つのストッパー凸リブ（protrusion）である。
また、１つの好適実施例において、第１ストッパー部の数は、２つであり、一方は、第１枢着部の第１内表面から離れる１つの末端に設置され、他方は、第１内表面及び末端の間の側面に設置される。また、特定の実施例において、第１枢着部は、背面板又はフレームの少なくとも１方に接続する。更に、特定の実施例において、支持部は、携帯式電子装置を起立して支持する端部及び延伸方向に沿って延伸して第２枢着部及び端部の間を接続する柄部から構成される。
また、１つの好適実施例において、端部は、滑り止め機能を有するゴム材質で作成され、柄部は、強度のあるアクリロニトリルブタジエンスチレン共重合体で作成される。また、他の好適実施例において、端部は、第１支持面及び第２支持面を有し、第１支持面は、フレームの支持部材に近隣する１つの第１側縁と面一（coplanar）とされ、第２支持面は、フレームの支持部材から離れる１つの第２側縁と面一とする。
また、さらに他の好適実施例において、端部及び柄部の延伸方向に垂直な横断面形状は、何れもＵ型とする。このほか、さらに他の好適実施例において、柄部は、伸縮構造とする。また、１つの好適実施例において、第１枢着部は、更に、脚の回転角度を制限する１つの係止部（restriction）を有する。
【００１５】
本発明は、更にパッケージケースを提供する。それは、ケース（case）、ケースを覆って収容空間を形成する１つの蓋体（cover）及び上記のキャリアからなり、キャリア及び携帯式電子装置が前記収容空間中に収容できることを特徴とする。
【発明の効果】
【００１６】
上記に基づき、本発明が提供するキャリアは、支持部材がフレーム内に収納された状態において携帯式電子装置を収容空間中に収容して載置できるだけでなく、支持部材がフレーム外に突出された状態で携帯式電子装置を起立して支持することもできる。また、先行技術に対して、本発明が提供するパッケージケースの厚さは、キャリアの構成により効果的に低減することができる。
【図面の簡単な説明】
【００１７】
【図１】本発明の実施例のキャリアの第１種使用状態の側面構造説明図である。
【図２】図１中に示すキャリアの立体構造説明図である。
【図３】図１中に示すキャリアの他の角度から見た立体構造説明図である。
【図４】本発明の実施例の支持部材の組み立て方式の説明図である。
【図５】図１中に示すキャリアの第２種使用状態の側面構造説明図である。
【図６】図１中に示す支持部材の俯瞰説明図である。
【図７】本発明の他の実施例のキャリアの支持部材の側面説明図である。
【図８】本発明の他の実施例のパッケージケースの側面分解説明図である。
【発明を実施するための形態】
【００１８】
本発明の上記特徴を明らかにする為、以下に複数の実施例を挙げ、図面に記載を参照して詳細に説明する。
【００１９】
図１は、本発明の１つの実施例のキャリアの第１の用状態の側面構造説明図であり、図２は、図１中に示すキャリアの立体構造説明図である。また、図３は、図１中に示すキャリアの他の角度から見た立体構造説明図である。図４は、本発明の実施例の支持部材の組み立て方式の説明図である。図５は、図１中に示すキャリアの第２種使用状態の側面構造説明図である。以下の実施例において、異なる実施例中に使用される同一部材符号は、同一又は同様の部材を示す。また、この実施例中に記載される上下左右の方位は、図１に示される方位を基準とする。
【００２０】
先ず、図１を参酌して説明する。本発明のキャリア１００は、携帯電子装置４００に適用され、携帯電子装置４００は、表示面４１０、表示面４１０に相対する背面４２０及び表示面４１０及び背面４２０を囲い、且つ表示面４１０及び背面４２０の間に接続する側面４３０によって形作られる。
また、以下の本実施例においては、携帯電子装置４００は、タブレットＰＣを例として説明する。但し、その他の図示しない実施例において、携帯式電子装置は、ＭＰ３及びＭＰ４等のマルチメディアプレイヤー、直立式携帯電話、スマートフォン、ＰＤＡ、ハンドヘルドゲームコンソール、電子書籍又はその他の様々なタブレット式携帯式電子装置であってよい。或いは、特定の実施例において、携帯式電子装置は、更に、ハンドヘルドゲームコンソール、ネットブック、ノート型パソコン又はその他の様々な折り畳み式携帯式電子装置であってもよく、例えば、携帯式電子装置は、相対して折り畳んだ後、その上面にもう１つの表示面を有するか、元の表示面を表示する。
【００２１】
本実施例において、キャリア１００は、背面板１１０、フレーム１２０及び少なくとも１つの支持部材１３０を有する。背面板１１０は、タブレットＰＣの背面４２０に対応した内表面１１２及び内表面１１２に相対する側の外表面１１４を有し、フレーム１２０は、背面板１１０を囲うと共にタブレットＰＣの側面４３０に対応し、且つ内表面１１２を囲う１つの内表面１２２及び外表面１１４の外周縁を囲う外表面１２４を有する。
また、背面板１１０及びフレーム１２０は、例えば、射出成型で製造され、一体に形成され、携帯式電子装置４００は、内表面１１２及びフレーム１２０の内表面１２２で囲われて形成される１つの収容空間１０２中に収容される。この時、内表面１１２は、タブレットＰＣの背面４２０に完全に密着され、内表面１２２は、タブレットＰＣの側面４３０上に完全に密着して、携帯式電子装置４００を背面板１１０及びフレーム１２０に安定して収容することができる。
注意すべき点として、本実施例において、携帯式電子装置４００が収容空間１０２中に収容される時、タブレットＰＣの表示面４１０は、例えば、フレーム１２０の外縁と面一になるか、フレーム１２０の外縁よりやや低くなる（即ち、完全に収容空間１０２内に収容される）。
【００２２】
また、支持部材１３０は、外表面１１４及びフレーム１２０の外表面１２４の少なくとも１方に枢着される。従って、支持部材１３０は、背面板１１０から離れるように軸回転して図１及び図３に示すように、外表面１１４及びフレーム１２０の外表面１２４で囲われた収容空間１０４から突出して、該支持部材１３０によって携帯式電子装置４００を支持して起立させることができ、または、背面板１１０へ軸回転してその収容空間１０４内に収納する。
図３に示すように、本実施例において、キャリア１００は、例えば、対称に配置される２つの支持部材１３０を具える。その他図示していないが、他の実施例において、キャリアは、中心部に配置された単一の支持部材又は対称に配置された３つ以上の支持部材を具えるものであってもよい。また、その他に図示していないが、２つの支持部材は、非対称の配置としてもよい。
図３に示す２つの支持部材１３０は、相反方向へ軸回転して収容空間１０４中に収納することができる。但し、その他の図示していない実施例において、２つの支持部材は、同一方向又は異なる方向に軸回転して収容空間中に収納してもよい。
【００２３】
詳細には（図３及び図４を参照）、本実施例において、背面板１１０は、更に、支持部材１３０の枢着部１１６を有し、支持部材１３０は、例えば、枢着部材１４０及び脚１５０から構成される。
本実施例において、脚１５０は、例えば、枢着部１５１及び支持部１５２から構成され、背面板１１０の枢着部１１６及び脚１５０の枢着部１５１は、枢着部材１４０により相互に接続され、支持部１５２は、例えば、枢着部１５１から外方へ延伸する。
また、図３及び図４に示すように、脚１５０の枢着部１５１は、好ましくは、背面板１１０の枢着部１１６及びフレーム１２０の外表面１２４の間に組み付けられ、脚１５０を脱落し難くさせる。また、図４に示すように、背面板１１０の枢着部１１６は、枢着孔１１６１を有し、且つ脚の枢着部１５１は、１つの枢着孔１５１１を有して、枢着部材１４０は、これら枢着孔１１６１、１５１１に共に貫通設置される回転軸である。
枢着部材１４０は、枢着孔１１６１と緊密に嵌合すると共に、枢着孔１５１１と緩やかに嵌合することにより、脚１５０を枢着部１１６に相対して軸回転して、図１及び図３に示すように、収容空間１０４に突出するように操作することができると共に、枢着部１１６に相対して軸回転して収容空間１０４中に収納され、また、逆も然りである。
【００２４】
このほか、背面板１１０の枢着部１１６は、例えば、図のように２つの接続板１１６２を介して外表面１１４上に固定され、更に、段差からなる２つのストッパー部１１６３，１１６４を設けて、ストッパー部１１６３は、枢着部１１６の外表面１１４から離れた末端に設置され、ストッパー部１１６４は、外表面１１４及びストッパー部１１６３の間の側面に設置される。
また、脚１５０は、支持部１５２の枢着部１５１に近接する一側に配置されるストッパー部１５４を有する。前記ストッパー部１１６３，１１６４は、ストッパー溝とし、ストッパー部１５４は、ストッパー溝に嵌合して脚１５０の枢着部１１６に相対して軸回転を制限するストッパー凸リブであり、また、逆の構成としてもよい。
従って、脚１５０のストッパー部１５４及び枢着部１１６のストッパー部１１６３が嵌合する時、脚１５０は、図１及び図３に示すように、収容空間１０４外に保持される。これに対してストッパー部１５４及びストッパー部１１６４が嵌合する時、脚１５０は、収容空間１０４中に保持される。
【００２５】
また、図４に示すように、本実施例において、支持部１５２は、端部１５６及び延伸方向５００に沿って延伸して枢着部１５１及び端部の間を接続する１つの柄部１５７から構成される。背面板１１０、フレーム１２０及び柄部１５７は、比較的強度のあるアクリロニトリルブタジエンスチレン共重合体材質又はその他のゴム材質で製造される。  全体構成において、端部１５６は、滑り止め特性を有するゴム材質で製造されることがよく、端部１５６を載置面（carrying surface）に相対して滑り難く、２つの支持面１５６２，１５６４を有してよい。
図１及び図３に示すように、支持面１５６２は、フレーム１２０の支持部材１３０に近隣する側縁（即ち、図１及び図３中に示される下縁）と面一とし、支持面１５６４は、フレーム１２０の支持部材１３０から離れた側縁（即ち、図１及び図３中に示される上縁）と面一とする。従って、キャリア１００は、支持面１５６２及びフレーム１２０とにより携帯式電子装置を支持し、図１及び図３に示す傾斜角度が大きい使用状態で安定して起立させ、使用者にイメージ又はビデオを観覧させることができるだけでなく、支持面１５６４及びフレーム１２０とにより携帯式電子装置を支持し、図５に示すような傾斜角度が小さい使用状態で安定して起立させて使用者に入力操作をさせることができる。また、その他の実施例において、背面板１１０、フレーム１２０及び柄部１５７は、ゴム材質で形成してもよい。
【００２６】
このほか、支持強度を維持した状況において、脚１５０の全体の重量を効果的に軽減する為、図１に示すように、支持部１５２は、中空構造にしてもよく、端部１５６及び柄部１５７の延伸方向５００に垂直な横断面形状でＵ型とする。また、その他の図示していない実施例において、支持部は、一体成型された実心柱体で構成して、更に良好な強度をもたせることもできる。また、本実施例において、柄部１５７は一定の長さで構成するが、その他の図示していない実施例において、柄部を伸縮可能に構成して使用者の使用の要求に応じて携帯式電子装置の傾斜角を任意に調整することができる。
【００２７】
注意すべき点として（図２、図３参照）、本実施例において、携帯式電子装置４００が収容空間１０２内に収容される時、表示面４１０はフレーム１２０の外縁より僅かに高いかフレーム１２０の外縁と面一、或いは、フレーム１２０の外縁よりやや低くする。
また、図２及び図３に示すように、本実施例中の背面１１０は、更に、内表面１１２側から外表面１１４側まで開通して、収容した携帯式電子装置の背面４２０の一部分を露出する露出孔１１７を設け（本実施例は、対称に配置された４つの露出孔１１７を図示する。）ることにより、使用者は収容した携帯式電子装置の背面４２０を押し上げて収容空間１０２中に収容した携帯式電子装置４００を取り出せる。このほか、背面板１１０は、更に、内表面１１２側から外表面１１４側に開通して、携帯式電子装置４００のスピーカを露出する露出孔１１８を設けることもできる（図中、対称に配置された４つの露出孔１１８を示す。）。露出孔１１８の数、配置及び形状は、スピーカに応じてその数は、スピーカの数より多くてもよく、その輪郭もスピーカの輪郭と異なってもよい。
【００２８】
また、図３に示すように、本実施例中のキャリア１００は、更に、外表面１１４及びフレーム１２０の外表面１２４の間に接続する少なくとも１つの強化リブ１６０（本実施例は、対称配置を呈する上下２つの強化リブ１６０を説明として示す）を具え、背面板１１０及びフレーム１２０の間の接続強度を補強する。
また、キャリア１００は、更に、外表面１１４上に突設する凸リブ１７０（本実施例は、Ｌ型とし、対称に配置する４つの凸リブ１７０を示す）を更に有する。
凸リブ１７０は、背面板１１０の強度を補強するだけでなく、収容空間１０４を複数の空間（例えば、凸リブ１７０内外に位置する２つの空間）に仕切り、携帯式電子装置４００の伝送線、イヤホン等のアクセサリ（図示せず）をそれぞれ収納する。また、これらのアクセサリは、異なる凸リブ１７９上にそれぞれ巻き付けられて収容空間１０４内にそれぞれ収容される。例えば、特定の実施例において、携帯式電子装置４００の電源アダプター（図示せず）の本体は、図３中に示すような４つの凸リブ１７０の間に嵌合し、コードは凸リブ１７０の外縁に巻き付けられる。
【００２９】
図６は、図１に示す支持部材の俯瞰説明図を示し、図７は、本発明の他の実施例のキャリアの支持部材の側面説明図である。まず、図６に示すように、本実施例において、枢着部１１６のガイド面１１６５は、係止部の構造を有さず、例えば、１つの半円柱面（semi-cylindrical surface）を形成し、脚１５０に対する枢着部１１６に相対する回転角度に矢印６００で示す１８０度を構成させる。相対的に言えば、図７に示すように、ガイド面１１６５は、係止部１１６６を構成してもよく、例えば、図７に示すような直角を有する４分の１の円柱面（quarter-cylindrical surface）、１つの突起（protrusion）（図示せず）を有する半円柱面等とし、本実施例中の脚１５０に対する枢着部１１６に相対する回転角度に矢印６００で示すような１８０度を構成させる。相対的に言えば、図７に示すように、ガイド面１１６５は、１つの係止部１１６６を設けて、例えば、図７に示すような直角を有する４分の１の円柱面（quarter-cylindrical surface）、１つの突起（protrusion）（図示せず）を有する１つの半円柱面等を形成し、本実施例中の脚１５０の枢着部１１６に相対する回転角度を矢印６００に示すように９０度以内に制限する。
【００３０】
図８は、本発明の実施例のケースの側面分解説明図である。また、以下において、記載される上下左右の方位は、図８に示す方位を基準とする。図８に示すように、上記実施例に開示されるキャリア１００は、パッケージケース１０内に収容され、パッケージケース１０は、ケース２００を覆って収容空間２０２を形成する蓋体３００を更に有し、キャリア１００及び携帯式電子装置４００は、該収容空間２０２中に収容される。
【００３１】
更に、本実施例において、キャリア１００の収容空間１０２の深さＤ１は、実質上、携帯式電子装置４００の厚さＴに等しく、且つ背面板１１０の内表面１１２及びフレーム内表面１２２は、それぞれ携帯式電子装置４００の背面４２０及び側面４３０に相対応する。
従って、携帯式電子装置４００を収容空間１０２内に収容する時、背面板１１０及びフレーム１２０上に安定して密着させ、その表示面４１０は、フレーム１２０の上縁と面一になる。また、キャリア１００の収容空間１０４の深さＤ２は、実質上、携帯式電子装置４００のアクセサリ（図示せず）及び支持部材１３０のうちの最も厚いものの厚さ（本実施例では、支持部材１３０の厚さに等しく図示する）に等しく、キャリア１００の全体の高さＨ１は、実質上、ケース２００の収容空間２０２の深さＤ３に等しい。従って、携帯式電子装置４００のアクセサリは、支持部材１３０と共に収容空間１０４内に収容され、キャリア１００がケース２００の収容空間２０２内に併せて収容される時、フレーム１２０の下縁がケース２００の内表面２０４に安定して収容することができる。また、ケース２００の高さＨ２は、実質的に蓋体３００の収容空間３０２の深さＤ４に等しく、従って、携帯式電子装置４００がキャリア１００及びケース２００と共に収容空間３０２内に収容される時、ケース２００の上縁は、蓋体３００の内表面３０４に安定して接する。即ち、先行技術に比較し、本発明が提供するパッケージケース１０の全体の厚さは、キャリア１００の高さＨ１より僅かに大きいだけであって効果的に低減される。
【００３２】
以上のとおり、本発明のキャリアは、支持部材は、フレーム内に収納可能であり、支持部材がフレーム内に収納された状態で、先行技術に対して、パッケージケースの全体の厚さを減縮させることもできると共に、携帯式電子装置を載置して、支持部材をフレーム外に突出した状態で携帯式電子装置を起立して支持することができる。
【００３３】
なお、本発明では好ましい実施例を前述の通り開示したが、これらは決して本発明を限定するものではなく、当該技術を熟知する者なら誰でも、本発明の精神と領域を脱しない均等の範囲内で各種の変動や潤色を加えることができることは勿論である。
【符号の説明】
【００３４】
１０  パッケージケース
１００  キャリア
１０２，１０４，２０２，３０２  収容空間
１１０  背面板
１１２，１２２，２０４，３０４  内表面
１１４，１２４  外表面
１１６，１５１  枢着部
１１６１，１５１１  枢着孔
１１６２  接続板
１１６３，１１６４，１５４  ストッパー部
１１７，１１８  露出孔
１２０  フレーム
１３０  支持部材
１４０  枢着部材
１５０  脚
１５２
支持部
１５６  端部
１５６２，１５６４  支持面
１５７  柄部
１６０  強化リブ
１７０  凸リブ
２００  ケース
３００  蓋体
４００  携帯式電子装置
４１０  表示面
４２０  背面
４３０  側面
５００  延伸方向
Ｄ１，Ｄ２，Ｄ３，Ｄ４  深さ
Ｈ１，Ｈ２  高さ
Ｔ  厚さ
【図１】
2014236508.tif 000003
【図２】
2014236508.tif 000004
【図３】
2014236508.tif 000005
【図４】
2014236508.tif 000006
【図５】
2014236508.tif 000007
【図６】
2014236508.tif 000008
【図７】
2014236508.tif 000009
【図８】
2014236508.tif 000010